(57)【要約】      （修正有）【課題】治具付き放熱器を提供する。【解決手段】放熱器１０、治具２０及び押え持ち素子３０を備える。前記放熱器１０に、複数の放熱フィン１２が設けられ、これらの放熱フィン１２が、実装溝１４を形成するように、配列され、その中の二つの放熱フィン１２の壁面に、対応する二つのホック部１５が設けられる。前記治具２０は当接部２１を備え、この当接部２１が、前記放熱器１０の実装溝１４内に設置される。前記押え持ち素子３０は本体３１を備え、この本体３１の両端に、それぞれ、係止部３２が設けられる。この二つの係止部３２が、それぞれ対応する前記放熱器１０の二つのホック部１５に係止されると共に、押え持ち素子３０の本体３１が放熱器１０の実装溝１４内に設置されて治具２０の当接部２１に当接する。これにより、押え持ち素子３０を利用して、治具２０を安定的に放熱器１０に固定する。【選択図】図１
0003139706.tif 000002
【実用新案登録請求の範囲】
【請求項１】
複数の放熱フィンが設けられ、これらの放熱フィンが、実装溝を形成するように配列され、そのうちの二つの放熱フィンの壁面に、対応する二つのホック部が形成された放熱器と、
この放熱器の実装溝内に設置される当接部を備える治具と、
この放熱器の実装溝内に設置される本体、及びこの本体の両端にそれぞれ設けられた二つの係止部を備え、前記二つの係止部が前記放熱器の対応する二つのホック部にそれぞれ係止されると共に前記本体が前記治具の当接部に当接することでこの治具が放熱器に固定されている押え持ち素子と、
を具備することを特徴とする治具付き放熱器。
【請求項２】
上記放熱フィンが、複数の案内溝を形成するように配列され、上記実装溝が、前記各案内溝と直交することを特徴とする請求項１に記載の治具付き放熱器。
【請求項３】
上記押え持ち素子の各係止部の両端が、それぞれ、前記押え持ち素子の両側面の外側まで延出されていることを特徴とする請求項１に記載の治具付き放熱器。
【請求項４】
上記押え持ち素子の本体の底面に、縦方向に格納溝が形成され、この格納溝が、前記本体の両端面を貫通し、上記治具の当接部が、前記格納溝内に格納されることを特徴とする請求項１に記載の治具付き放熱器。
【請求項５】
上記押え持ち素子の本体の底面における、上記二つの係止部の近くに、それぞれ凹溝が設けられ、この二つの凹溝が、前記本体の両側面を貫通することを特徴とする請求項１に記載の治具付き放熱器。
【請求項６】
上記治具の当接部が湾曲されて突起部が形成され、上記押え持ち素子の本体の底面に収納溝が形成され、前記突起部が前記収納溝に収納されることを特徴とする請求項１に記載の治具付き放熱器。
【請求項７】
上記治具の当接部の両端がそれぞれ斜めに延設されて、弾性アームが形成され、この二つの弾性アームの末端に、それぞれ係止ホックが形成されていることを特徴とする請求項１に記載の治具付き放熱器。
【請求項８】
複数の放熱フィンが設けられ、これらの放熱フィンが、複数の案内溝及び実装溝を形成するように配列され、そのうちの二つの放熱フィンの壁面に、対応する二つのホック部がそれぞれ形成されている放熱器と、
前記放熱器の何れか一つの案内溝内に設置される当接部を備える少なくとも一つの治具と、
前記放熱器の実装溝内に設置される本体、及びこの本体の両端にそれぞれ設けられた二つの係止部を備え、前記二つの係止部が、それぞれ、前記放熱器の対応する二つのホック部に係止されると共に前記本体が前記治具の当接部に当接することで、前記治具が前記放熱器に固定されている押え持ち素子と、
を具備することを特徴とする治具付き放熱器。
【請求項９】
上記実装溝が、上記各案内溝と直交することを特徴とする請求項８に記載の治具付き放熱器。
【請求項１０】
上記押え持ち素子の各係止部の両端が、それぞれ、前記押え持ち素子の両側面の外側まで延出していることを特徴とする請求項８に記載の治具付き放熱器。
【請求項１１】
上記押え持ち素子の本体の底面において、横方向に少なくとも一つの格納溝が形成され、この少なくとも一つの格納溝が、前記本体の両側面を貫通し、上記少なくとも一つの治具の当接部が、前記格納溝内に格納されることを特徴とする請求項８に記載の治具付き放熱器。
【請求項１２】
上記押え持ち素子の本体の底面における、上記二つの係止部の近くに、それぞれ凹溝が設けられ、この二つの凹溝が、前記本体の両側面を貫通することを特徴とする請求項８に記載の治具付き放熱器。
【請求項１３】
上記少なくとも一つの治具の当接部が湾曲され突起部が形成され、上記押え持ち素子の本体の底面に、横方向に少なくとも一つの格納溝が設けられ、この格納溝は、高さが、前記突起部に対応すると共に前記本体の両側面を貫通し、前記突起部が、前記格納溝に格納されることを特徴とする請求項８に記載の治具付き放熱器。
【請求項１４】
上記押え持ち素子の本体の底面に収納溝が設けられ、上記当接部の突起部に定位部材が設けられ、この定位部材が前記収納溝に収納されることを特徴とする請求項１３に記載の治具付き放熱器。
【請求項１５】
上記治具の当接部の両端がそれぞれ斜めに延設されて、弾性アームが形成され、この二つの弾性アームの末端に、それぞれ係止ホックが形成されていることを特徴とする請求項８に記載の治具付き放熱器。
【考案の詳細な説明】
【技術分野】
【０００１】
本考案は、治具付き放熱器に関し、特に、治具が、安定的に放熱器に設置される治具付き放熱器に関する。
【背景技術】
【０００２】
電機設備や電子設備等が稼働する時、その電子素子に、高熱が発生する。この熱を放熱すれば、この電子素子の稼働を正常に確保でき、また、稼働温度が高すぎることにより電子素子が破壊されることを防止できる。コンピュータの中央処理装置を例とすると、データを処理する速度が極めて速いため、発生した高熱を速やかに放熱しなければ、稼働が不正常になったり、このコンピュータが故障したりする場合がある。そこで、発熱する電子素子上に放熱器を実装し、このとき治具で放熱器を電子素子の表面に固定することで、電子素子の放熱を行う。
【０００３】
上記の放熱器は、通常、その放熱フィンに、治具に対応するホック部が設けられ、この治具を直接放熱器のホック部に係止することにより、この治具が放熱器に固定される。
【０００４】
しかしながら、上記の治具を設置する位置は、放熱器のホック部の位置に制限され、治具の形態が異なる場合、ホック部の位置もそれに応じて変化しなければならない。従って、放熱器が、ホック部が対応する治具だけに設置されることができ、異なるタイプの治具を交換できない。また、治具を組み立てる位置が変更できなく、放熱器上に、同時に複数の治具を設置することができない。
【０００５】
本考案者は、上記の欠点を改善するため、慎重に研究開発をすると共に学理を活用することで、設計が合理的で上記の欠点を有効に改善できる本考案を提案する。
【考案の開示】
【考案が解決しようとする課題】
【０００６】
本考案の主な目的は、押え持ち素子を利用して、治具を安定的に放熱器上に設置できる治具付き放熱器を提供する。
【０００７】
本考案の他の目的は、治具が、自由に押え持ち素子の範囲内の放熱フィン同士の間に設置されることができる治具付き放熱器を提供する。
【０００８】
本考案の更に他の目的は、異なるタイプである治具でも、安定的に放熱器上に設置されることができる治具付き放熱器を提供する。
【０００９】
本考案の更に他の目的は、放熱器上に、安定的に、複数の治具が設置されることができる治具付き放熱器を提供する。
【課題を解決するための手段】
【００１０】
本考案に係る治具付き放熱器は、上記の目的を達成するため、複数の放熱フィンが設けられ、これらの放熱フィンが、実装溝を形成するように配列され、そのうちの二つの放熱フィンの壁面に、対応する二つのホック部が形成された放熱器を具備する。また、この放熱器の実装溝内に設置される当接部を備える治具を具備する。また、この放熱器の実装溝内に設置される略長尺状である本体、及びこの本体の両端にそれぞれ設けられた二つの係止部を備え、前記二つの係止部が前記放熱器の対応する二つのホック部に係止されると共に前記本体が前記治具の当接部に当接することでこの治具がこの放熱器を固定している押え持ち素子を具備する。
【００１１】
本考案に係る他の治具付き放熱器は、上記の目的を達成するため、複数の放熱フィンが設けられ、これらの放熱フィンが、複数の案内溝及び実装溝を形成するように配列され、そのうちの二つの放熱フィンの壁面に、対応する二つのホック部が形成されている放熱器を具備する。また、前記放熱器の何れかの一つの案内溝内に設置される当接部を備える少なくとも一つの治具を具備する。また、前記放熱器の実装溝内に設置される略長尺状である本体、及びこの本体の両端にそれぞれ設けられた二つの係止部を具備し、前記二つの係止部が、それぞれ、前記放熱器の対応する二つのホック部に係止されると共に前記本体が前記治具の当接部に当接して、この治具が前記放熱器に固定される押え持ち素子と、が含有される治具付き放熱器である。
【考案の効果】
【００１２】
本考案によれば、次の効果が得られる。本考案は、押え持ち素子を利用して、異なるタイプである治具でも、安定的に放熱器に設置することができ、また、この押え持ち素子の範囲内において、本考案は、治具の、放熱フィン同士の間での設置位置を変更でき、また、治具の数が押え持ち素子の範囲を超えない限り、単一の押え持ち素子で、複数の治具を放熱器に設置できる。
【考案を実施するための最良の形態】
【００１３】
以下、図面を参照しながら、本考案の特徴や技術内容について、詳しく説明するが、本考案は、それによって制限されることがない。
【００１４】
図１乃至図３に、本考案に係る治具付き放熱器の第１の実施例を示す。この治具付き放熱器は、放熱器１０、治具２０及び押え持ち素子３０を備える。
【００１５】
放熱器１０は、基座１１と、この基座１１の表面から突出して形成された複数の放熱フィン１２とを備える。これらの放熱フィン１２の形状は特に制限されず、図１に示すようなシート状であってもよく、柱状であってもよい。これらの放熱フィン１２は、複数の案内溝１３と一つの実装溝１４が形成されるように、配列される。前記実装溝１４は、各案内溝１３と直交する。この放熱器１０における二つの放熱フィン１２には、基座１１の壁面の底端の近くに、対応する二つのホック部１５が形成される。
【００１６】
治具２０は、湾曲した金属棒体で形成される。この治具２０は、一つの当接部２１、二つの弾性アーム２２、及び二つの係止ホック２３を備える。前記当接部２１の中段には、湾曲した突起部２１１が形成されている。前記二つの弾性アーム２２は、それぞれ、前記当接部２１の両端から、互いに異なる方向へ傾斜するように延設して形成される。前記二つの係止ホック２３は、前記二つの弾性アーム２２の末端にそれぞれ設けられる。
【００１７】
押え持ち素子３０は、略長尺な本体３１、二つの係止部３２、及び二つの凹溝３３を備える。前記本体３１は、底面に、縦方向の格納溝３４が設けられる。この格納溝３４は、前記本体３１の前後両端面を貫通する。また、前記本体３１の底面には収納溝３５（図３参照）が設けられる。この収納溝３５は、前記二つの凹溝３３の間に位置し、前記格納溝３４に連通する。
【００１８】
前記二つの係止部３２は、桿状に形成される。この各係止部３２は、前記本体３１の前後両端の底部に設けられ、その両端が、それぞれ、前記本体３１の左右両側面の外方に延出している。
【００１９】
前記二つの凹溝３３は、長尺状に形成される。この凹溝３３は前記本体３１の底面に形成され、この本体３１の両側面を貫通する。また、各凹溝３３はそれぞれ、前記本体３１における前記二つの係止部３２の近くにそれぞれ設けられ、これにより、二つの係止部３２が、弾性変形できる。
【００２０】
このような放熱器１０と治具２０との組み立て時には、まず、治具２０の当接部２１を、放熱器１０の実装溝１４内に配置する。その後、押え持ち素子３０の本体３１を、放熱器１０の実装溝１４内に配置すると共に、この押え持ち素子３０の二つの係止部３２を、それぞれ、対応する放熱器１０の二つのホック部１５に係止する。これにより、押え持ち素子３０の本体３１が治具２０の当接部２１上に当接する。このとき、当接部２１は押え持ち素子３０の格納溝３４内に収納されると共に、この当接部２１の突起部２１１が押え持ち素子３０の収納溝３５（図３参照）に格納される。このため、治具２０は押え持ち素子３０によって放熱器１０に固定される。
【００２１】
上記の押え持ち素子３０を放熱器１０に設置する際、この押え持ち素子３０にはこの二つの凹溝３３が設けられているため、二つの係止部３２は、一旦、外側へ変形し、この二つの係止部３２が二つのホック部１５を通過した後、弾性により元の位置に回復して、ホック部１５の下方に係止する。
【００２２】
図４乃至図６に、本考案の第２の実施例を示す。第１の実施例との差異は次の通りである。
【００２３】
治具２０の当接部２１は水平棒体である。また、押え持ち素子３０の本体３１の底面には、前記治具２０の当接部２１に対応する格納溝３４'が横方向に設けられる。この格納溝３４'は、前記本体３１の両側面を貫通する。
【００２４】
このような放熱器１０と治具２０との組み立て時には、まず、治具２０の当接部２１を、放熱器１０の一つの案内溝１３内に配置する。また、押え持ち素子３０の本体３１を、放熱器１０の実装溝１４内に配置する。そして、この押え持ち素子３０の二つの係止部３２を、それぞれ、対応する放熱器１０の二つのホック部１５に係止する。これにより、押え持ち素子３０の本体３１が、治具２０の当接部２１上に当接すると共に、この当接部２１が、押え持ち素子３０の格納溝３４'内に格納される（図６参照）。このため、治具２０は押え持ち素子３０によって放熱器１０に固定される。
【００２５】
治具２０の組付け位置を変更する場合、組み付け位置が、押え持ち素子３０の本体３１の範囲内であれば、治具２０の位置を、自由に、放熱フィン１２同士の間において、変更することができる(図５Ａ参照)。
【００２６】
また、治具２０の数が押え持ち素子３０の本体３１の範囲を超えない限り、押え持ち素子３０で複数の治具２０を放熱器１０に設置することができる。更に、押え持ち素子３０の本体３１には、それら複数の治具２０に対応する複数の格納溝３４'が設けられていても良い。
【００２７】
図７乃至図１０に、本考案の第３の実施例を示す。第２の実施例との差異は、次の通りである。
【００２８】
放熱器１０には、二つの治具２０が設置される。各治具２０の当接部２１は、湾曲されて突起部２１１が形成されている。この突起部２１１に、定位部材２４が実装される。本実施例における定位部材２４はＣリングであるが、他のものでも良い。この当接部２１の両端は、同一の方向へ傾斜するように延設され、二つの弾性アーム２２が形成されている。この二つの弾性アーム２２の末端に、それぞれ、係止ホック２３が設けられる。
【００２９】
この押え持ち素子３０の本体３１には、底面において、横方向に、二つの格納溝３４"が設けられる。この二つの格納溝３４"の高さは、それぞれ、前記治具２０の二つの突起部２１１に対応する。この格納溝３４"は、本体３１の両側面まで貫通する。また、この本体３１の底面には、収納溝３５が設けられる。この収納溝３５は、前記二つの格納溝３４"と連通する。
【００３０】
この治具２０の前記突起部２１１は、押え持ち素子３０の格納溝３４"に格納され、また、この治具２０の定位部材２４が、押え持ち素子３０の収納溝３５に収納される（図１０参照）。そのため、前記定位部材２４と収納溝３５とにより、治具２０の左右方向への変位が制限される。
【００３１】
本考案に係る治具付き放熱器によれば、次の特徴や機能が得られる。
１．異なるタイプの治具を交換する時（例えば、第１と第２の実施例の治具２０）、この治具が、確実に押え持ち素子の格納溝内に格納されるならば、異なるタイプの治具を放熱器に設置でき、また、治具を、安定的に放熱器に設置することができる。
２．治具の組立て位置を変更する場合、その組立て位置が押え持ち素子の範囲内にあれば、自由に、放熱フィン同士の間において、治具の位置を変更でき、また、治具を、安定的に放熱器に設置することができる。
３．複数の治具を設置する場合、設置する治具の数が押え持ち素子の範囲を超えなければ、単一の押え持ち素子で複数の治具を安定的に放熱器に設置できる。
【００３２】
以上は、本考案のより良い実施例を示すものに過ぎず、本考案は、これらの実施例によって制限されることはない。本考案に係る実用新案登録請求の範囲や明細書の内容に基づいて行われる等価な変更や修正は、全て、本考案の範囲内に含まれる。
【図面の簡単な説明】
【００３３】
【図１】本考案の第１の実施例を示す立体分解図である。
【図２】本考案の第１の実施例を示す側面図である。
【図３】本考案の第１の実施例を示す断面図である。
【図４】本考案の第２の実施例を示す立体分解図である。
【図５】本考案の第２の実施例を示す側面図である。
【図５Ａ】本考案の第２の実施例において治具位置を変更する様子を示す側面概念図である。
【図６】本考案の第２の実施例を示す断面図である。
【図７】本考案の第３の実施例を示す立体分解図である。
【図８】本考案の第３の実施例を示す側面図である。
【図９】本考案の第３の実施例を示す断面図である。
【図１０】本考案の第３の実施例を示す上面図である。
【符号の説明】
【００３４】
１０    放熱器
１１    基座
１２    放熱フィン
１３    案内溝
１４    実装溝
１５    ホック部
２０    治具
２１    当接部
２１１  突起部
２２    弾性アーム
２３    係止ホック
２４    定位部材
３０    押え持ち素子
３１    本体
３２    係止部
３３    凹溝
３４    格納溝
３４'  格納溝
３４"  格納溝
３５    収納溝
【図１】
0003139706.tif 000003
【図２】
0003139706.tif 000004
【図３】
0003139706.tif 000005
【図４】
0003139706.tif 000006
【図５】
0003139706.tif 000007
【図５Ａ】
0003139706.tif 000008
【図６】
0003139706.tif 000009
【図７】
0003139706.tif 000010
【図８】
0003139706.tif 000011
【図９】
0003139706.tif 000012
【図１０】
0003139706.tif 000013